(57)【要約】【課題】ネットワーク環境に接続することなく、距離が離れた位置にある異なるパソコン間でデータをリアルタイムかつ容易に受け渡すことができる通信機器、通信方法、および情報記憶装置を提供することを目的とする。【解決手段】端末機器３００に接続された通信機器１００が備える記憶手段１５０が、データを実体的な記憶手段に記憶し、通信機器１００が備える通信手段１２０が、データを無線通信で通信し、端末機器４００に接続された通信機器２００が備える通信手段２２０が、通信機器１００に備えられた通信手段１２０とアクセスポイントを中継しないダイレクト無線通信し、通信機器２００が備える仮想記憶領域形成手段２５０が、通信手段２２０によって接続された記憶手段１５０を端末機器４００に仮想記憶領域として認識させる。【選択図】図１
2020046921.tif 000002
【特許請求の範囲】
【請求項１】
異なる端末機器間で受け渡すデータを通信するための通信装置において、
一方の端末機器に接続され、前記データを実体的な記憶手段に記憶するための実体記憶手段と、前記データを無線通信で通信するための無線通信手段とを備える実体記憶側通信機器と、
他方の端末機器に接続され、前記実体記憶側通信機器に備えられた無線通信手段とアクセスポイントを中継しないダイレクト無線通信をするためのダイレクト無線通信手段と、前記ダイレクト無線通信手段によって接続された前記実体記憶手段を前記他方の端末機器に仮想記憶領域として認識させる仮想記憶領域形成手段とを備える仮想記憶側通信機器と、
を備えることを特徴とする通信装置。
【請求項２】
前記実体記憶側通信機器または前記仮想記憶側通信機器の少なくとも一方は、
前記実体記憶側通信機器または前記仮想記憶側通信機器を利用する利用者の正当性を判断するための認証手段、
を備えることを特徴とする請求項１記載の通信装置。
【請求項３】
前記認証手段は、
前記利用者の生体情報により利用者の正当性を判断する生体認証であること、
を特徴とする請求項２記載の通信装置。
【請求項４】
前記認証手段は、
利用時毎に発行されるワンタイムパスワードにより利用者の正当性を判断するワンタイムパスワード認証であること、
を特徴とする請求項２記載の通信機器。
【請求項５】
前記実体記憶側通信機器または前記仮想記憶側通信機器の少なくとも一方は、
前記実体記憶側通信機器または前記仮想記憶側通信機器を利用する利用者による動作を記録するログ記録手段、
を備えることを特徴とする請求項１記載の通信装置。
【請求項６】
前記実体記憶手段は、
不揮発性メモリであること、
を特徴とする請求項１記載の通信装置。
【請求項７】
前記無線通信手段と前記ダイレクト無線通信手段との通信は、
あらかじめ記憶された共通鍵で接続すること、
を特徴とする請求項１記載の通信装置。
【請求項８】
前記無線通信手段と前記ダイレクト無線通信手段との通信は、
アドホック・モードで通信すること、
を特徴とする請求項１記載の通信装置。
【請求項９】
前記仮想記憶側通信機器は、
データを受け渡すための情報が実体的な記憶手段に記憶される仮想記憶側実体記憶手段、
を備え、
前記実体記憶側通信機器および前記仮想記憶側通信機器は、
前記実体記憶手段と前記仮想記憶側実体記憶手段とを合わせて一つの合成記憶手段として仮想化する合成仮想化手段、
を備えることを特徴とする請求項１記載の通信装置。
【請求項１０】
前記実体記憶側通信機器および前記仮想記憶側通信機器は、
互いに嵌め合うことで一体物となるように構成したこと、
を特徴とする請求項１記載の通信装置。
【請求項１１】
異なる端末機器間で受け渡すデータを通信するための通信方法において、
一方の端末機器に接続された実体記憶側通信機器が備える実体記憶手段が、前記データを実体的な記憶手段に記憶するステップ、
前記実体記憶側通信機器が備える無線通信手段が、前記データを無線通信で通信するステップと、
他方の端末機器に接続された仮想記憶側通信機器が備えるダイレクト無線通信手段が、前記実体記憶側通信機器に備えられた無線通信手段とアクセスポイントを中継しないダイレクト無線通信をするステップと、
前記仮想記憶側通信機器が備える仮想記憶領域形成手段が、前記ダイレクト無線通信手段によって接続された前記実体記憶手段を前記他方の端末機器に仮想記憶領域として認識させるステップと、
を備えることを特徴とする通信方法。
【請求項１２】
異なる端末機器間で受け渡すデータを通信するための情報記憶装置において、
一方の端末機器に接続され、前記データを実体的な記憶手段に記憶するための実体記憶手段と、前記データを無線通信で通信するための無線通信手段とを備える実体記憶側通信機器と、
他方の端末機器に接続され、前記実体記憶側通信機器に備えられた無線通信手段とアクセスポイントを中継しないダイレクト無線通信をするためのダイレクト無線通信手段と、前記ダイレクト無線通信手段によって接続された前記実体記憶手段を前記他方の端末機器に仮想記憶領域として認識させる仮想記憶領域形成手段とを備える仮想記憶側通信機器と、
を備えることを特徴とする情報記憶装置。
【請求項１３】
データを実体的な記憶手段に記憶するための実体記憶手段と、前記データを無線通信で通信するための無線通信手段とを備える実体記憶側通信機器が接続された一方の端末機器と、他方の端末機器との間で前記データを受け渡すために他方の端末機器に接続される通信機器において、
前記無線通信手段とアクセスポイントを中継しないダイレクト無線通信をするためのダイレクト無線通信手段と、
前記ダイレクト無線通信手段によって接続された前記実体記憶手段を前記他方の端末機器に仮想記憶領域として認識させる仮想記憶領域形成手段と、
を備えることを特徴とする通信機器。
【発明の詳細な説明】
【技術分野】
【０００１】
本発明は、通信装置、通信方法、情報記憶装置、および通信機器に関し、特に異なる端末機器間で受け渡すデータを通信するための通信機器、通信方法、および情報記憶装置に関する。
【背景技術】
【０００２】
従来から、パソコンなどの情報端末機器に接続して、情報を読み書きするＵＳＢ（Universal Serial Bus）メモリという外付けの記憶媒体が知られている。
ＵＳＢメモリは、電力を供給しなくてもデータを保持することができ、電気的にデータを書き換えることが可能なフラッシュメモリと呼ばれる不揮発性の半導体メモリが用いられるため、記憶媒体の小型化が可能になり、軽量で持ち運びが容易になっている。
【０００３】
さらにハードディスクなどの円盤形状の記憶媒体と比べてホコリや衝撃に強く、外付けのハードディスクや、ＣＤ−Ｒ（Compact Disk-Recordable）などよりも手軽に利用できる記憶媒体として普及されている。
これらのＵＳＢメモリを利用することで、異なるパソコン間での情報の受け渡しや、簡易的な情報のバックアップなどが容易にできるようになった。
【０００４】
ところが小型化や軽量化で便利になったＵＳＢメモリは、記憶容量がハードディスクと比べて少ないことや、情報を記憶させてＵＳＢメモリを紛失してしまった場合に、情報が漏洩してしまうという問題が考えられる。
【０００５】
そこで、情報端末機器に対して各種設定を行う必要がなく、セキュリティを高めつつ、大容量の記憶領域を構成できる通信方法、通信機器、ストレージ機器、および制御プログラムが開発されている（例えば、特許文献１参照）。
【０００６】
具体的には、ＵＳＢドングルがホストＰＣ（Personal Computer）に接続され、ＵＳＢドングルはＵＳＢマスストレージクラスであることを示すデバイスクラス情報をホストＰＣに送信し、ＵＳＢドングルがＵＳＢドングルに割り当てられた特定の記憶領域を有するＮＡＳ（Network Attached Storage）との通信を確立させる。
【０００７】
そしてホストＰＣは、ＵＳＢドングルの記憶領域に関する問い合せコマンドをＵＳＢドングルに送信し、ＵＳＢドングルは、ホストＰＣからの問い合せコマンドを受信した後、受信した問い合せコマンドをＮＡＳに転送し、ＮＡＳは、ＵＳＢドングルからの問い合せコマンドを受信した後、特定の記憶領域に関するディスク情報をＵＳＢドングルに送信する。
【０００８】
これにより、情報端末機器は、通信機器を一般的なマスストレージクラスのデバイスとして取り扱うことができる。このため、複雑な設定を情報端末機器に対して行う必要がない。
【０００９】
また、通信機器はデータを記憶するための不揮発性記憶手段を備えていないので、たとえＵＳＢメモリドングルを紛失したとしても情報漏洩が生じることがなくなり、セキュリティを高めることができる。さらに、情報端末機器から見える通信機器の記憶領域は、実際にはストレージ機器の記憶領域であるため、大容量の記憶領域を構成できる。
【先行技術文献】
【特許文献】
【００１０】
【特許文献１】特開２０１３−１０５３９６号公報
【発明の概要】
【発明が解決しようとする課題】
【００１１】
しかし、上記の発明の場合、異なるパソコン間でデータの受け渡しを行なう場合でもＮＡＳなどのストレージ機器や、ＮＡＳなどのストレージ機器が接続されたネットワーク環境が必要であり、導入コストが高くなる問題があった。
【００１２】
またＵＳＢドングルをパソコンに接続するだけでネットワークに許可なく別のパソコンが入ることになり、ネットワーク内にウイルスが侵入する恐れや、ネットワークを介してメールの誤送信などが起こってしまう場合も考えられる。
【００１３】
そこで、ネットワークに接続することなく、異なるパソコン間でデータの転送を行なうには、ＵＳＢケーブルなどで接続する方法が考えられるが、距離が離れた位置にあるパソコン間では必要な長さのケーブルが必要になるため、実用的ではなかった。
【００１４】
また、ＵＳＢメモリに情報を記憶させ、そのＵＳＢメモリを別のパソコンに挿すことでデータを受け渡すことも考えられるが、リアルタイムでデータが受け渡すことができないので手間であった。またＵＳＢメモリを抜き差しすることで、メモリが壊れたり紛失してしまったりする恐れがあった。
【００１５】
本発明はこのような点に鑑みてなされたものであり、ネットワーク環境に接続することなく、距離が離れた位置にある異なるパソコン間でデータをリアルタイムかつ容易に受け渡すことができる異なる端末機器間で受け渡すデータを通信するための通信機器、通信方法、および情報記憶装置を提供することを目的とする。
【課題を解決するための手段】
【００１６】
本発明では上記問題を解決するために、異なる端末機器間で受け渡すデータを通信するための通信装置において、一方の端末機器に接続され、前記データを実体的な記憶手段に記憶するための実体記憶手段と、前記データを無線通信で通信するための無線通信手段とを備える実体記憶側通信機器と、他方の端末機器に接続され、前記実体記憶側通信機器に備えられた無線通信手段とアクセスポイントを中継しないダイレクト無線通信をするためのダイレクト無線通信手段と、前記ダイレクト無線通信手段によって接続された前記実体記憶手段を前記他方の端末機器に仮想記憶領域として認識させる仮想記憶領域形成手段とを備える仮想記憶側通信機器とを備えることを特徴とする通信装置が提供される。
【００１７】
これにより、一方の端末機器に接続された実体記憶側通信機器が備える実体記憶手段が、データを実体的な記憶手段に記憶し、実体記憶側通信機器が備える無線通信手段が、データを無線通信で通信し、他方の端末機器に接続された仮想記憶側通信機器が備えるダイレクト無線通信手段が、実体記憶側通信機器に備えられた無線通信手段とアクセスポイントを中継しないダイレクト無線通信し、仮想記憶側通信機器が備える仮想記憶領域形成手段が、ダイレクト無線通信手段によって接続された実体記憶手段を他方の端末機器に仮想記憶領域として認識させる。
【００１８】
また、本発明では、異なる端末機器間で受け渡すデータを通信するための通信方法において、一方の端末機器に接続された実体記憶側通信機器が備える実体記憶手段が、前記データを実体的な記憶手段に記憶するステップ、前記実体記憶側通信機器が備える無線通信手段が、前記データを無線通信で通信するステップと、他方の端末機器に接続された仮想記憶側通信機器が備えるダイレクト無線通信手段が、前記実体記憶側通信機器に備えられた無線通信手段とアクセスポイントを中継しないダイレクト無線通信をするステップと、
前記仮想記憶側通信機器が備える仮想記憶領域形成手段が、前記ダイレクト無線通信手段によって接続された前記実体記憶手段を前記他方の端末機器に仮想記憶領域として認識させるステップとを備えることを特徴とする通信方法が提供される。
【００１９】
これにより、一方の端末機器に接続された実体記憶側通信機器が備える実体記憶手段が、データを実体的な記憶手段に記憶し、実体記憶側通信機器が備える無線通信手段が、データを無線通信で通信し、他方の端末機器に接続された仮想記憶側通信機器が備えるダイレクト無線通信手段が、実体記憶側通信機器に備えられた無線通信手段とアクセスポイントを中継しないダイレクト無線通信し、仮想記憶側通信機器が備える仮想記憶領域形成手段が、ダイレクト無線通信手段によって接続された実体記憶手段を他方の端末機器に仮想記憶領域として認識させる。
【００２０】
また、本発明では、異なる端末機器間で受け渡すデータを通信するための情報記憶装置において、一方の端末機器に接続され、前記データを実体的な記憶手段に記憶するための実体記憶手段と、前記データを無線通信で通信するための無線通信手段とを備える実体記憶側通信機器と、他方の端末機器に接続され、前記実体記憶側通信機器に備えられた無線通信手段とアクセスポイントを中継しないダイレクト無線通信をするためのダイレクト無線通信手段と、前記ダイレクト無線通信手段によって接続された前記実体記憶手段を前記他方の端末機器に仮想記憶領域として認識させる仮想記憶領域形成手段とを備える仮想記憶側通信機器とを備えることを特徴とする情報記憶装置が提供される。
【００２１】
これにより、一方の端末機器に接続された実体記憶側通信機器が備える実体記憶手段が、データを実体的な記憶手段に記憶し、実体記憶側通信機器が備える無線通信手段が、データを無線通信で通信し、他方の端末機器に接続された仮想記憶側通信機器が備えるダイレクト無線通信手段が、実体記憶側通信機器に備えられた無線通信手段とアクセスポイントを中継しないダイレクト無線通信し、仮想記憶側通信機器が備える仮想記憶領域形成手段が、ダイレクト無線通信手段によって接続された実体記憶手段を他方の端末機器に仮想記憶領域として認識させる。
【００２２】
また、本発明では、データを実体的な記憶手段に記憶するための実体記憶手段と、前記データを無線通信で通信するための無線通信手段とを備える実体記憶側通信機器が接続された一方の端末機器と、他方の端末機器との間で前記データを受け渡すために他方の端末機器に接続される通信機器において、前記無線通信手段とアクセスポイントを中継しないダイレクト無線通信をするためのダイレクト無線通信手段と、前記ダイレクト無線通信手段によって接続された前記実体記憶手段を前記他方の端末機器に仮想記憶領域として認識させる仮想記憶領域形成手段とを備えることを特徴とする通信機器が提供される。
【００２３】
これにより、一方の端末機器に接続された実体記憶側通信機器が備える実体記憶手段が、データを実体的な記憶手段に記憶し、実体記憶側通信機器が備える無線通信手段が、データを無線通信で通信し、他方の端末機器に接続された仮想記憶側通信機器が備えるダイレクト無線通信手段が、実体記憶側通信機器に備えられた無線通信手段とアクセスポイントを中継しないダイレクト無線通信し、仮想記憶側通信機器が備える仮想記憶領域形成手段が、ダイレクト無線通信手段によって接続された実体記憶手段を他方の端末機器に仮想記憶領域として認識させる。
【発明の効果】
【００２４】
本発明の通信装置、通信方法、情報記憶装置、および通信機器によれば、一方の端末機器に接続された実体記憶側通信機器が備える実体記憶手段が、データを実体的な記憶手段に記憶し、実体記憶側通信機器が備える無線通信手段が、データを無線通信で通信し、他方の端末機器に接続された仮想記憶側通信機器が備えるダイレクト無線通信手段が、実体記憶側通信機器に備えられた無線通信手段とアクセスポイントを中継しないダイレクト無線通信し、仮想記憶側通信機器が備える仮想記憶領域形成手段が、ダイレクト無線通信手段によって接続された実体記憶手段を他方の端末機器に仮想記憶領域として認識させるので、ネットワーク環境に接続することなく、距離が離れた位置にある異なるパソコン間でデータをリアルタイムかつ容易に受け渡すことができる。
【図面の簡単な説明】
【００２５】
【図１】第１の実施の形態に係る通信機器の概念を示すブロック図である。
【図２】通信機器が接続された各端末機器のドライブの管理状態を示すイメージ図である。
【図３】各通信機器が利用者を認証し、互いの通信機器同士を接続して、情報の読み書きを可能にするまでの処理を示すフローチャートである。
【図４】各通信機器の収納状態例を示すイメージ図である。
【図５】通信機器が接続された端末機器の接続例を示すブロック図である。
【図６】第２の実施の形態に係る通信機器の概念を示すブロック図である。
【図７】各通信機器が利用者を認証し、互いの通信機器同士を接続して、情報の読み書きを可能にするまでの処理を示すフローチャートである。
【発明を実施するための形態】
【００２６】
以下、本発明の実施の形態を、図面を参照して詳細に説明する。
〔第１の実施の形態〕
図１は、第１の実施の形態に係る通信機器の概念を示すブロック図である。
図１に示すように通信機器１００は端末機器３００に接続されており、また通信機器２００は端末機器４００に接続されている。
【００２７】
通信機器１００および通信機器２００は、互いに異なる端末機器に接続された状態でルータやゲートウェイなど中継機器を介さずにダイレクトに無線通信して、異なる端末機器同士で情報を受け渡すためのものである。
【００２８】
通信機器１００の詳細を以下に説明する。
通信機器１００は、制御部１１０、通信手段１２０、認証手段１３０、ログ取得手段１４０、記憶手段１５０、および接続手段１６０を備えている。
【００２９】
制御部１１０は通信手段１２０、認証手段１３０、ログ取得手段１４０、記憶手段１５０、および接続手段１６０に接続されており、接続された各機器を機能させるためのものである。
【００３０】
通信手段１２０は、制御部１１０に接続されており、ルータやゲートウェイなど中継機器を介さずに通信機器２００に備えられた通信手段２２０とダイレクトに無線通信をするためのものである。
【００３１】
通信手段１２０と通信手段２２０との通信は、例えば通信手段１２０および通信手段２２０が無線ＬＡＮ（Local Area Network）のアダプタであって、互いに直接通信を行なうアドホック・モードなどで通信することが挙げられる。これによりＷｉ−Ｆｉなどのアクセスポイントを介すことなく通信手段１２０と通信手段２２０とを無線通信することができる。
【００３２】
上記の通信手段１２０と通信手段２２０とを無線ＬＡＮのアドホック・モードで通信させるためには、あらかじめＥＳＳ−ＩＤ(Extended Service Set Identifier)をそれぞれの通信機器に設定し、さらに共通鍵などを設定しておくことで容易かつ安全に接続することができる。
【００３３】
また通信手段１２０と通信手段２２０との通信の例としては、通信手段１２０および通信手段２２０がＢｌｕｅＴｏｏｔｈ（登録商標）機器であって、互いに近距離無線通信することが挙げられる。
【００３４】
上記の通信手段１２０と通信手段２２０とをＢｌｕｅＴｏｏｔｈで接続するためには、あらかじめ互いの通信手段同士を特定するためにペアリングと呼ばれる操作をしておく必要がある。
【００３５】
認証手段１３０は、制御部１１０に接続されており、通信機器１００の利用者の正当性を証明するためのものである。
認証手段１３０は例えば生体認証装置であって、あらかじめ利用者の指紋、網膜、虹彩、顔、音声などに関する情報が記憶されており、図示しない入力手段によって入力された生体認証情報と一致した場合に通信機器１００の利用を許可するためのものである。
【００３６】
また認証手段１３０の一例としてはワンタイムパスワードを利用した認証を利用することもできる。例えば、通信機器１００の利用時に、利用者が特定の動作を行なうことで、一定時間利用可能なパスワードが特定のメールアドレス宛てに送信され、受信したメールに記載されたパスワードを図示しない入力手段により認証手段１３０に入力し、入力されたパスワードと送信されたパスワードとが一致した場合に通信機器１００の利用を許可することができる。
【００３７】
ワンタイムパスワードを利用する方法は、メールを利用してパスワードを送信するだけでなく、あらかじめ利用者に渡されたハードウェアトークンが生成するパスワードと同期するパスワードを利用した時刻同期型ワンタイムパスワードや、ショートメールサービスなどを利用してパスワードを送信する方法なども考えられる。
【００３８】
また入力されたパスワードが一定回数繰り返して間違えた場合には、通信機器１００の利用を停止し、記憶手段１５０に記憶された情報を消去して、通信機器１００のセキュリティを強化するようにしてもよい。
【００３９】
ログ取得手段１４０は、制御部１１０に接続されており、制御部１１０に接続された各機器が動作した動作履歴を記録するためのものである。例えば、通信手段１２０の動作においては、時間が記録されるとともに、どの通信機器の通信手段と接続したのかが記録され、接続が解除された時間とともに記録される。
【００４０】
また認証手段１３０においては、認証が実行される時間が記録されるとともに、パスワードの入力時間、パスワードの一致または不一致などの情報が記録される。また後に説明する記憶手段１５０においては、どのユーザがどのような情報を記憶させたのか、または削除させたのかなどが時間とともに記録される。さらに後に説明する接続手段１６０においても、接続された機器の情報が時間とともに記録される。
【００４１】
記憶手段１５０は、制御部１１０に接続されており、様々な情報を記憶するための実体的な記憶媒体である。記憶手段１５０に記憶される情報は、例えば後に説明する接続手段１６０を介して接続された端末機器３００から入力された情報、またログ取得手段１４０が記録する動作履歴情報、さらに通信機器２００が有する通信手段２２０と通信手段１２０とが接続するためのＥＳＳ−ＩＤや共通鍵などの情報、認証手段１３０が利用者の正当性を認証するための認証情報などを記憶することができる。
【００４２】
また記憶手段１５０は、電源を切っても記憶内容を保持することを可能とする不揮発性メモリとすることで、電源が共有されない状況下であっても、記憶手段１５０に記憶された情報を利用者が所持して移動することができる。
【００４３】
接続手段１６０は、制御部１１０と接続されており、端末機器３００と通信機器１００とを接続するための装置である。接続手段１６０は例えば、ＵＳＢ（Universal Serial Bus）規格のオス側コネクタであって、端末機器３００に備えられたＵＳＢ規格のメス側コネクタに接続手段１６０を挿入することで、通信機器１００と端末機器３００とを接続することができる。
【００４４】
接続手段１６０の形状は、ＵＳＢ規格のオス側コネクタだけでなく、ＵＳＢミニオス側コネクタ、ＵＳＢマイクロオス側コネクタなど様々な形状が考えられる。これらの各形状の接続手段１６０は、通信機器１００に備えられた対応する各メス側コネクタに接続される。
【００４５】
さらに接続手段１６０の形状はＵＳＢ規格の形状だけでなく、通信機器１００に備えられたＳＤメモリーカード用のメス側コネクタ、ｍｉｎｉＳＤカード用のメス側コネクタ、ｍｉｃｒｏＳＤカード用のメス側コネクタなどの形状に対応したオス側コネクタを形状とすることもできる。
【００４６】
次に、通信機器２００の詳細を以下に説明する。
通信機器２００は、制御部２１０、通信手段２２０、認証手段２３０、ログ取得手段２４０、仮想記憶領域形成手段２５０、および接続手段２６０を備えている。
【００４７】
制御部２１０は通信手段２２０、通信手段２２０、認証手段２３０、ログ取得手段２４０、仮想記憶領域形成手段２５０、および接続手段２６０に接続されており、接続された各機器を機能させるためのものである。
【００４８】
通信手段２２０は、制御部２１０に接続されており、ルータやゲートウェイなど中継機器を介さずに通信機器１００に備えられた通信手段１２０とダイレクトに無線通信をするためのものである。
【００４９】
認証手段２３０は、制御部２１０に接続されており、通信機器２００の利用者の正当性を証明するためのものである。
認証手段２３０の例としては、認証手段１３０と同様に生体認証装置やワンタイムパスワードを利用した認証などが挙げられる。
【００５０】
ログ取得手段２４０は、制御部２１０に接続されており、制御部２１０に接続された各機器が動作した動作履歴を記録するためのものである。
仮想記憶領域形成手段２５０は、制御部１１０に接続されており、接続手段２６０を介して接続された端末機器に、通信手段２２０を介して接続された通信機器１００が有する記憶手段１５０を仮想記憶領域として形成するためのものである。
【００５１】
具体的には、仮想記憶領域形成手段２５０は、通信手段１２０および通信手段２２０を通じて接続された通信機器１００が有する記憶手段１５０を、仮想記憶領域として例えばＧドライブなどとして端末機器３００内に特定の領域を形成する。
これにより、端末機器３００はＧドライブに情報を書き込むことで、通信機器１００が有する記憶手段１５０に情報を書き込んだ状態と同じになる。
【００５２】
接続手段２６０は、制御部２１０と接続されており、端末機器４００と通信機器２００とを接続するための装置である。接続手段２６０は例えば、ＵＳＢ規格のオス側コネクタであって、端末機器４００に備えられたＵＳＢ規格のメス側コネクタに接続手段２６０を挿入することで、通信機器２００と端末機器４００とを接続することができる。
【００５３】
図２は、通信機器が接続された各端末機器のドライブの管理状態を示すイメージ図である。
図２に示すように、端末機器３００には通信機器１００が接続されている。また端末機器４００には通信機器２００が接続されている。また通信機器１００と通信機器２００とは、ルータやゲートウェイなど中継機器を介さずにダイレクトに無線通信などで接続されている。
【００５４】
端末機器３００のＣドライブには、ハードディスク等の記憶媒体が接続されておりローカルディスク（Ｃ）３１０として認識されている。
また端末機器３００のＤドライブには、ハードディスク等の記憶媒体が接続されておりボリューム（Ｄ）３２０として認識されている。
【００５５】
また端末機器３００のＥドライブには、ＣＤ（Compact Disc）、ＣＤ−ＲＯＭ（Compact Disc Read only memory）、ＤＶＤ（Digital Versatile Disc）、ＢＤ（Blu-ray Disc）（登録商標）などを読み書き可能な光学ドライブが接続されておりＤＶＤドライブ（Ｅ）３３０として認識されている。
【００５６】
さらに端末機器３００のＧドライブには、通信機器１００が有する記憶手段１５０が接続されておりＵＳＢドライブ（Ｇ）３４０として認識されている。
また端末機器４００のＣドライブには、ハードディスク等の記憶媒体が接続されておりローカルディスク（Ｃ）４１０として認識されている。
【００５７】
また端末機器４００のＤドライブには、ハードディスク等の記憶媒体が接続されておりボリューム（Ｄ）４２０として認識されている。
また端末機器４００のＥドライブには、ハードディスク等の記憶媒体が接続されておりボリューム（Ｅ）４３０として認識されている。
【００５８】
さらに端末機器４００のＧドライブには、通信機器２００が有する仮想記憶領域形成手段２５０により、無線で接続された通信機器１００が有する記憶手段１５０の内容を仮想記憶領域としてシミュレートし、ＵＳＢドライブ（Ｇ）４４０として認識されている。
【００５９】
端末機器３００がＵＳＢドライブ（Ｇ）３４０から読み取る情報は、直接通信機器１００が有する記憶手段１５０から読み取られる。また端末機器３００からＵＳＢドライブ（Ｇ）４３０に書き込まれた情報は、直接通信機器１００が有する記憶手段１５０に書き込まれる。
【００６０】
端末機器４００がＵＳＢドライブ（Ｇ）４４０から読み取る情報は、仮想記憶領域形成手段２５０がシミュレートした通信機器１００が有する記憶手段１５０から無線通信を介して読み取られる。
【００６１】
また端末機器４００からＵＳＢドライブ（Ｇ）４４０に書き込まれた情報は、仮想記憶領域形成手段２５０がシミュレートした通信機器１００が有する記憶手段１５０に無線通信を介して書き込まれる。
【００６２】
このように、通信機器１００が有する記憶手段１５０に、中継機器を介さずにダイレクトに無線通信を介して通信機器２００が有する仮想記憶領域形成手段２５０がシミュレートすることで、端末機器３００からは直接記憶手段１５０に情報を読み書きでき、端末機器４００からは仮想記憶に情報を読み書きすることで、中継機器を介さずにダイレクトに無線通信を通じて記憶手段１５０に情報を読み書きすることができる。
【００６３】
これにより、ネットワーク設定などの手間が省け、かつ手軽に異なる端末機器から情報を受け渡すことが可能になる。また距離が離れた位置にある異なる端末機器から情報を受け渡す際に、ネットワーク環境の構築やＮＡＳなどのネットワーク接続型ストレージ装置が必要ないので、安価、手軽、またリアルタイムに情報を受け渡すことができる。
【００６４】
図３は、各通信機器が利用者を認証し、互いの通信機器同士を接続して、情報の読み書きを可能にするまでの処理を示すフローチャートである。以下、図３に示す処理をステップ番号に沿って説明する。
【００６５】
〔ステップＳ１１〕
通信機器１００は認証を行なう。具体的には、通信機器１００が備える認証手段１３０は、通信機器１００に入力された利用者の認証情報を受け取り、受け取った認証情報から通信機器１００を利用可能か否かの認証を行なう。
【００６６】
〔ステップＳ１２〕
通信機器１００は認証する否かを判断する。具体的には、ステップＳ１１で入力された認証情報が通信機器１００に記憶された認証情報を一致するか否かで通信機器１００を利用可能か否かの判断を行なう。
【００６７】
ステップＳ１１で入力された認証情報と通信機器１００に記憶された認証情報とが一致し、利用者に通信機器１００を利用可能と判断したときは、処理をステップＳ１３に進め、ステップＳ１１で入力された認証情報と通信機器１００に記憶された認証情報とが一致せず、利用者に通信機器１００を利用不可と判断したときは、処理をステップＳ１１に進める。
【００６８】
〔ステップＳ１３〕
通信機器１００は接続を開始する。具体的には、通信機器２００が備える通信手段２２０と無線通信を介して接続するための処理を通信機器１００が備える通信手段１２０が開始する。
【００６９】
〔ステップＳ１４〕
通信機器１００は通信手段を検索する。具体的には、通信機器２００が備える通信手段２２０が発するＥＳＳ−ＩＤなどの通信手段２２０を識別するための信号を通信機器１００が備える通信手段１２０が検索する。
【００７０】
〔ステップＳ１５〕
通信機器１００は検索されたかを判断する。具体的には、通信機器２００が備える通信手段２２０を検索できたか否かを通信機器１００が備える通信手段１２０が判断する。
【００７１】
通信手段１２０が通信手段２２０を検索できたと判断したときは、処理をステップＳ１６に進め、通信手段１２０が通信手段２２０を検索できないと判断したときは、処理をステップＳ１４に進める。
【００７２】
〔ステップＳ１６〕
通信機器１００は接続を試みる。具体的には、ステップＳ１４〜ステップＳ１５で検索された通信手段２２０に通信手段１２０が共通鍵などを利用して接続を試みる。
【００７３】
〔ステップＳ１７〕
通信機器１００は接続されたかを判断する。具体的には、通信手段１２０と通信手段２２０とが共通鍵などを利用して正常に接続されたか否かを通信機器１００が備える通信手段１２０が判断する。
【００７４】
通信手段１２０と通信手段２２０とが正常に接続されたと通信手段１２０が判断したときは、処理をステップＳ１８に進め、通信手段１２０と通信手段２２０とが正常に接続されないと通信手段１２０が判断したときは、接続せずに処理を終了させる。
【００７５】
〔ステップＳ１８〕
通信機器１００は通信を行なう。具体的には、ステップＳ１３からステップＳ１７までの処理で確立された接続を介して情報を通信する。
【００７６】
〔ステップＳ２１〕
通信機器２００は認証を行なう。具体的には、通信機器２００が備える認証手段２３０は、通信機器２００に入力された利用者の認証情報を受け取り、受け取った認証情報から通信機器２００を利用可能か否かの認証を行なう。
【００７７】
〔ステップＳ２２〕
通信機器２００は認証する否かを判断する。具体的には、ステップＳ２１で入力された認証情報が通信機器２００に記憶された認証情報を一致するか否かで通信機器２００を利用可能か否かの判断を行なう。
【００７８】
ステップＳ２１で入力された認証情報と通信機器２００に記憶された認証情報とが一致し、利用者に通信機器２００を利用可能と判断したときは、処理をステップＳ２３に進め、ステップＳ２１で入力された認証情報と通信機器２００に記憶された認証情報とが一致せず、利用者に通信機器２００を利用不可と判断したときは、処理をステップＳ２１に進める。
【００７９】
〔ステップＳ２３〕
通信機器２００は接続を開始する。具体的には、通信機器１００が備える通信手段１２０と無線通信を介して接続するための処理を通信機器２００が備える通信手段２２０が開始する。
【００８０】
〔ステップＳ２４〕
通信機器２００は通信手段を検索する。具体的には、通信機器１００が備える通信手段１２０が発するＥＳＳ−ＩＤなどの通信手段１２０を識別するための信号を通信機器２００が備える通信手段２２０が検索する。
【００８１】
〔ステップＳ２５〕
通信機器２００は検索されたかを判断する。具体的には、通信機器１００が備える通信手段１２０を検索できたか否かを通信機器２００が備える通信手段２２０が判断する。
【００８２】
通信手段２２０が通信手段１２０を検索できたと判断したときは、処理をステップＳ２６に進め、通信手段２２０が通信手段１２０を検索できないと判断したときは、処理をステップＳ２４に進める。
【００８３】
〔ステップＳ２６〕
通信機器２００は接続を試みる。具体的には、ステップＳ２４〜ステップＳ２５で検索された通信手段１２０に通信手段２２０が共通鍵などを利用して接続を試みる。
【００８４】
〔ステップＳ２７〕
通信機器２００は接続されたかを判断する。具体的には、通信手段２２０と通信手段１２０とが共通鍵などを利用して正常に接続されたか否かを通信機器２００が備える通信手段２２０が判断する。
【００８５】
通信手段２２０と通信手段１２０とが正常に接続されたと通信手段２２０が判断したときは、処理をステップＳ２８に進め、通信手段２２０と通信手段１２０とが正常に接続されないと通信手段２２０が判断したときは、接続せずに処理を終了させる。
【００８６】
〔ステップＳ２８〕
通信機器２００は仮想記憶領域を形成する。具体的には、ステップＳ１３からステップＳ１７までの処理で確立された接続を介して、通信機器１００が備える記憶手段１５０を仮想記憶領域としてシミュレートし、端末機器４００に所定のドライブとして仮想記憶領域を形成する。
【００８７】
〔ステップＳ２９〕
通信機器２００は通信を行なう。具体的には、ステップＳ２３からステップＳ２７までの処理で確立された接続を介して情報を通信する。
【００８８】
図４は、各通信機器の収納状態例を示すイメージ図である。
図４に示すように、通信機器１００の一部に通信機器２００の一部を連結することで、通信機器１００と通信機器２００とを一体化させて保管することができる。
【００８９】
具体的には、通信機器１００は、制御部１１０、通信手段１２０、認証手段１３０、ログ取得手段１４０、および記憶手段１５０を収容する本体部１０１を備え、本体部１０１の一部からは、端末機器３００に接続するための接続手段１６０が突出している。
【００９０】
また通信機器２００は、制御部２１０、通信手段２２０、認証手段２３０、ログ取得手段２４０、および仮想記憶領域形成手段２５０を収容する本体部２０１を備え、本体部２０１の一部からは、端末機器４００に接続するための接続手段２６０が突出している。
【００９１】
さらに本体部１０１の一部には、本体部２０１から突出した接続手段２６０を収容する接続手段２６０と同形状の凹部１０２が形成されている。
この凹部１０２に接続手段２６０を挿入することで、通信機器１００と通信機器２００とを一体化させて保管することができる。これにより２つの通信機器の一方を紛失してしまうことを防止することができる。
【００９２】
また本体部１０１の表面には認証手段１３０に接続される認証装置１３１を備えており、本体部２０１の表面には認証手段２３０に接続される認証装置２３１を備えている。認証装置１３１および認証装置２３１は、例えば指紋認証などの指紋を感知する感知センサーであって、利用者が認証装置１３１または認証装置２３１に触れることで、利用者の指紋情報を認証装置１３１および認証装置２３１が読み取り、認証手段１３０または認証手段に認証情報である指紋情報が入力される。
【００９３】
図５は、通信機器が接続された端末機器の接続例を示すブロック図である。
本実施の形態では、通信機器１００が接続された端末機器３００と通信機器２００が接続された端末機器４００とを無線通信させて、端末機器４００から通信機器１００が備える記憶手段１５０をシミュレートして参照する例で示したが、一対一で通信するほかに複数の端末機器で通信するようにしてもよい。
【００９４】
図５に示すように、端末機器３００には通信機器１００が接続され、端末機器４００には通信機器２００が接続され、端末機器７００には通信機器５００が接続され、端末機器８００には通信機器６００が接続されている。
【００９５】
また通信機器１００には記憶手段１５０が備えられ、通信機器２００、５００、６００には仮想記憶領域形成手段２５０、５５０、６５０が備えられている。
さらに４つの通信機器１００、２００、５００、６００はそれぞれ無線通信で接続されている。具体的には、４つの通信機器同士をアドホック・モードで各々を接続したアドホック・ネットワークを形成している。
【００９６】
このように通信機器が接続された複数の端末機器を無線通信で接続することで、通信機器１００に備えられた記憶手段１５０を、仮想記憶領域形成手段２５０、５５０、６５０が仮想記憶領域としてシミュレートして参照するので、記憶手段１５０に記憶された情報を複数の端末に容易に受け渡すことができる。
【００９７】
〔第２の実施の形態〕
次に、本発明の第２の実施の形態について説明する。本実施の形態の通信機器は、記憶手段の形態および仮想記憶領域形成手段の形態が異なる以外は、第１の実施の形態で示した構成とほぼ同様である。このため、上記第１の実施の形態とほぼ同様の構成部分については同一の符号を付すなどして適宜その説明を省略する。
【００９８】
図６は、第２の実施の形態に係る通信機器の概念を示すブロック図である。
図６に示すように通信機器１００は端末機器３００に接続されており、また通信機器２００は端末機器３００に接続されている。
【００９９】
通信機器１００および通信機器２００は、互いに異なる端末機器に接続された状態でルータやゲートウェイなど中継機器を介さずに通信して、異なる端末機器同士で情報を受け渡すためのものである。
【０１００】
通信機器１００の詳細を以下に説明する。
通信機器１００は、制御部１１０、通信手段１２０、認証手段１３０、ログ取得手段１４０、記憶手段１５０、接続手段１６０、および仮想記憶領域形成手段１７０を備えている。
【０１０１】
制御部１１０は通信手段１２０、通信手段１２０、認証手段１３０、ログ取得手段１４０、記憶手段１５０、接続手段１６０、および仮想記憶領域形成手段１７０に接続されており、接続された各機器を機能させるためのものである。
通信手段１２０、認証手段１３０、ログ取得手段１４０、記憶手段１５０、および接続手段１６０は、第１の実施の形態で示した構成と同様であるため説明を省略する。
【０１０２】
仮想記憶領域形成手段１７０は、制御部１１０に接続されており、接続手段１６０を介して接続された端末機器３００に、後に説明する通信手段２２０を介して接続された通信機器２００が有する記憶手段２７０と、通信機器１００が備える記憶手段１５０とを合わせて単一のボリュームとした仮想記憶領域を形成するためのものである。
【０１０３】
具体的には、仮想記憶領域形成手段１７０は、通信手段１２０および通信手段２２０を通じて接続された通信機器１００が有する記憶手段１５０と通信機器２００が有する記憶手段２７０と合わせた容量の記憶領域を、仮想記憶領域として例えばＧドライブなどとして端末機器３００内に特定の領域を形成する。
【０１０４】
これにより、端末機器３００はＧドライブに情報を書き込むことで、通信機器１００が有する記憶手段１５０および通信機器２００が有する記憶手段２７０と合わせた仮想記憶領域に情報を書き込んだ状態になる。また、記憶手段１５０の記憶容量と記憶手段２７０の記憶容量とが合計されるので、全体的な記憶容量が１つの通信機器に備えられた記憶容量と比較して大容量の記憶領域を利用することができる。
【０１０５】
次に、通信機器２００の詳細を以下に説明する。
通信機器２００は、制御部２１０、通信手段２２０、認証手段２３０、ログ取得手段２４０、仮想記憶領域形成手段２５０、接続手段２６０、および記憶手段２７０を備えている。
【０１０６】
制御部２１０は通信手段２２０、通信手段２２０、認証手段２３０、ログ取得手段２４０、仮想記憶領域形成手段２５０、接続手段２６０、および記憶手段２７０に接続されており、接続された各機器を機能させるためのものである。
通信手段２２０、認証手段２３０、ログ取得手段２４０、および接続手段２６０は、第１の実施の形態で示した構成と同様であるため説明を省略する。
【０１０７】
仮想記憶領域形成手段２５０は、制御部２１０に接続されており、接続手段２６０を介して接続された端末機器４００に、後に説明する通信手段２２０を介して接続された通信機器２００が有する記憶手段２７０と、通信機器１００が備える記憶手段１５０とを合わせて単一のボリュームとした仮想記憶領域を形成するためのものである。
【０１０８】
具体的には、仮想記憶領域形成手段２５０は、通信手段１２０および通信手段２２０を通じて接続された通信機器１００が有する記憶手段１５０と通信機器２００が有する記憶手段２７０と合わせた容量の記憶領域を、仮想記憶領域として例えばＧドライブなどとして端末機器４００内に特定の領域を形成する。
【０１０９】
これにより、端末機器４００はＧドライブに情報を書き込むことで、通信機器１００が有する記憶手段１５０および通信機器２００が有する記憶手段２７０と合わせた仮想記憶領域に情報を書き込んだ状態になる。また、記憶手段１５０の記憶容量と記憶手段２７０の記憶容量とが合計されるので、全体的な記憶容量が１つの通信機器に備えられた記憶容量と比較して増加する。
記憶手段２７０は、制御部２１０に接続されており、様々な情報を記憶するための実体的な記憶媒体である。
【０１１０】
図７は、各通信機器が利用者を認証し、互いの通信機器同士を接続して、情報の読み書きを可能にするまでの処理を示すフローチャートである。以下、図７に示す処理をステップ番号に沿って説明する。
【０１１１】
〔ステップＳ３１〕
通信機器１００は認証を行なう。具体的には、通信機器１００が備える認証手段１３０は、通信機器１００に入力された利用者の認証情報を受け取り、受け取った認証情報から通信機器１００を利用可能か否かの認証を行なう。
【０１１２】
〔ステップＳ３２〕
通信機器１００は認証する否かを判断する。具体的には、ステップＳ３１で入力された認証情報が通信機器１００に記憶された認証情報を一致するか否かで通信機器１００を利用可能か否かの判断を行なう。
【０１１３】
ステップＳ３１で入力された認証情報と通信機器１００に記憶された認証情報とが一致し、利用者に通信機器１００を利用可能と判断したときは、処理をステップＳ３３に進め、ステップＳ３１で入力された認証情報と通信機器１００に記憶された認証情報とが一致せず、利用者に通信機器１００を利用不可と判断したときは、処理をステップＳ３１に進める。
【０１１４】
〔ステップＳ３３〕
通信機器１００は接続を開始する。具体的には、通信機器２００が備える通信手段２２０と無線通信を介して接続するための処理を通信機器１００が備える通信手段１２０が開始する。
【０１１５】
〔ステップＳ３４〕
通信機器１００は通信手段を検索する。具体的には、通信機器２００が備える通信手段２２０が発するＥＳＳ−ＩＤなどの通信手段２２０を識別するための信号を通信機器１００が備える通信手段１２０が検索する。
【０１１６】
〔ステップＳ３５〕
通信機器１００は検索されたかを判断する。具体的には、通信機器２００が備える通信手段２２０を検索できたか否かを通信機器１００が備える通信手段１２０が判断する。
【０１１７】
通信手段１２０が通信手段２２０を検索できたと判断したときは、処理をステップＳ３６に進め、通信手段１２０が通信手段２２０を検索できないと判断したときは、処理をステップＳ３４に進める。
【０１１８】
〔ステップＳ３６〕
通信機器１００は接続を試みる。具体的には、ステップＳ３４〜ステップＳ３５で検索された通信手段２２０に通信手段１２０が共通鍵などを利用して接続を試みる。
【０１１９】
〔ステップＳ３７〕
通信機器１００は接続されたかを判断する。具体的には、通信手段１２０と通信手段２２０とが共通鍵などを利用して正常に接続されたか否かを通信機器１００が備える通信手段１２０が判断する。
【０１２０】
通信手段１２０と通信手段２２０とが正常に接続されたと通信手段１２０が判断したときは、処理をステップＳ３８に進め、通信手段１２０と通信手段２２０とが正常に接続されないと通信手段１２０が判断したときは、接続せずに処理を終了させる。
【０１２１】
〔ステップＳ３８〕
通信機器１００は仮想記憶領域を形成する。具体的には、ステップＳ３３からステップＳ３７までの処理で確立された接続を介して、通信機器１００が備える記憶手段１５０と通信機器２００が備える記憶手段２７０とを合わせた単一のボリュームとしてシミュレートした仮想記憶領域を、端末機器４００に所定のドライブとして形成する。
【０１２２】
〔ステップＳ３９〕
通信機器１００は通信を行なう。具体的には、ステップＳ３３からステップＳ３７までの処理で確立された接続を介して情報を通信する。
【０１２３】
〔ステップＳ４１〕
通信機器１００は認証を行なう。具体的には、通信機器１００が備える認証手段１３０は、通信機器１００に入力された利用者の認証情報を受け取り、受け取った認証情報から通信機器１００を利用可能か否かの認証を行なう。
【０１２４】
〔ステップＳ４２〕
通信機器１００は認証する否かを判断する。具体的には、ステップＳ４１で入力された認証情報が通信機器１００に記憶された認証情報を一致するか否かで通信機器１００を利用可能か否かの判断を行なう。
【０１２５】
ステップＳ４１で入力された認証情報と通信機器１００に記憶された認証情報とが一致し、利用者に通信機器１００を利用可能と判断したときは、処理をステップＳ４３に進め、ステップＳ４１で入力された認証情報と通信機器１００に記憶された認証情報とが一致せず、利用者に通信機器１００を利用不可と判断したときは、処理をステップＳ４１に進める。
【０１２６】
〔ステップＳ４３〕
通信機器１００は接続を開始する。具体的には、通信機器２００が備える通信手段２２０と無線通信を介して接続するための処理を通信機器１００が備える通信手段１２０が開始する。
【０１２７】
〔ステップＳ４４〕
通信機器１００は通信手段を検索する。具体的には、通信機器２００が備える通信手段２２０が発するＥＳＳ−ＩＤなどの通信手段２２０を識別するための信号を通信機器１００が備える通信手段１２０が検索する。
【０１２８】
〔ステップＳ４５〕
通信機器１００は検索されたかを判断する。具体的には、通信機器２００が備える通信手段２２０を検索できたか否かを通信機器１００が備える通信手段１２０が判断する。
【０１２９】
通信手段１２０が通信手段２２０を検索できたと判断したときは、処理をステップＳ４６に進め、通信手段１２０が通信手段２２０を検索できないと判断したときは、処理をステップＳ４４に進める。
【０１３０】
〔ステップＳ４６〕
通信機器１００は接続を試みる。具体的には、ステップＳ４４〜ステップＳ４５で検索された通信手段２２０に通信手段１２０が共通鍵などを利用して接続を試みる。
【０１３１】
〔ステップＳ４７〕
通信機器１００は接続されたかを判断する。具体的には、通信手段１２０と通信手段２２０とが共通鍵などを利用して正常に接続されたか否かを通信機器１００が備える通信手段１２０が判断する。
【０１３２】
通信手段１２０と通信手段２２０とが正常に接続されたと通信手段１２０が判断したときは、処理をステップＳ４８に進め、通信手段１２０と通信手段２２０とが正常に接続されないと通信手段１２０が判断したときは、接続せずに処理を終了させる。
【０１３３】
〔ステップＳ４８〕
通信機器２００は仮想記憶領域を形成する。具体的には、ステップＳ３３からステップＳ３７までの処理で確立された接続を介して、通信機器１００が備える記憶手段１５０と通信機器２００が備える記憶手段２７０とを合わせた単一のボリュームとしてシミュレートした仮想記憶領域を、端末機器４００に所定のドライブとして形成する。
【０１３４】
〔ステップＳ４９〕
通信機器２００は通信を行なう。具体的には、ステップＳ４３からステップＳ４７までの処理で確立された接続を介して情報を通信する。
【符号の説明】
【０１３５】
１００、２００、５００、６００  通信機器
１０１、２０１  本体部
１０２  凹部
１１０、２１０  制御部
１２０、２２０  通信手段
１３０、２３０  認証手段
１３１、２３１  認証装置
１４０、２４０  ログ取得手段
１５０、２７０  記憶手段
１６０、２６０  接続手段
１７０、２５０、５５０  仮想記憶領域形成手段
２５０  仮想記憶領域形成手段
３００、４００、７００、８００  端末機器
【図１】
2020046921.tif 000003
【図２】
2020046921.tif 000004
【図３】
2020046921.tif 000005
【図４】
2020046921.tif 000006
【図５】
2020046921.tif 000007
【図６】
2020046921.tif 000008
【図７】
2020046921.tif 000009